(57)【要約】【課題】コスト高となることなしに、録画時間の設定操作を容易、且つ迅速に行えるタイマー機能を備えた録画システムを提供する。【解決手段】制御プログラムを実行して装置全体の制御を行う制御部９が、通常の録画動作時にレコーディングキー１２ａを操作して設定されたワンタッチレコーディング機能のモード時に、レコーディングキー１２ａが操作される毎にメモリ１７に記憶中の録画時間に所定時間を順次加算して録画時間を算出し、且つレコーディングキー１２と既存の特定キー１２ｃとが同時操作される毎にメモリ１７に記憶中の録画時間から所定時間を順次減算して録画時間を算出し、算出した何れかの録画時間をメモリ１７に更新登録し、ワンタッチレコーディング機能のモードの設定時からメモリ１７に記憶中の録画時間が経過した時点で録画動作を終了させる制御機能を有している。【選択図】      図２
2006041851.tif 000002
【特許請求の範囲】
【請求項１】
レコーディングキーが操作された時点で放送番組の録画を開始する通常録画機能と、この通常の録画動作時に前記レコーディングキーがさらに操作されることにより残りの録画時間を設定登録するワンタッチレコーディング機能とを有するタイマー機能付き録画システムであって、
少なくとも前記レコーディングキーを含む各種の操作キーを有するキー入力部と、
前記キー入力部から入力する指令信号に基づき制御プログラムを実行することによって装置全体の制御を行う制御部と、
前記制御部による制御を受けて、設定録画時間を一時記憶するメモリ、所定時間の計時を行うタイマー回路部および放送番組の映像データおよび音声データを記録媒体に記録する録画処理系とを備え、
前記制御部が、
前記ワンタッチレコーディング機能のモードが設定された状態で前記レコーディングキーが操作されたときに最小録画時間を前記メモリに設定登録し、さらに前記レコーディングキーが操作されたときに、その操作毎に前記メモリに記憶中の録画時間に所定時間を順次加算した録画時間を新たに算出して前記メモリに更新登録する一方、前記ワンタッチレコーディング機能のモードが設定された状態で前記レコーディングキーと前記キー入力部に既存の特定キーとが同時に操作されたときに最大録画時間を前記メモリに設定登録し、さらに前記レコーディングキーと前記特定キーとが同時に操作されたときに、その操作毎に前記メモリに記憶中の録画時間から所定時間を順次減算した録画時間を新たに算出して前記メモリに更新登録する機能と、
前記ワンタッチレコーディング機能のモードが設定されたのちに最初の録画時間が前記メモリに初期設定された時点から前記タイマー回路部に計時動作を開始させて、その計時時間が前記メモリに記憶中の録画時間に達した時点で録画動作を終了させるよう前記録画処理系を制御する機能と、
を有していることを特徴とするタイマー機能付き録画システム。
【請求項２】
レコーディングキーの操作により入力映像データの録画を開始する通常録画機能と、この通常の録画動作時に前記レコーディングキーがさらに操作されることにより残りの録画時間を設定登録するワンタッチレコーディング機能とを有するタイマー機能付き録画システムであって、
操作部から入力する指令信号に基づき制御プログラムを実行することによって装置全体の制御を行う制御部が、前記ワンタッチレコーディング機能のモードが設定された状態で前記レコーディングキーがさらに操作されたときに、その操作毎にメモリに記憶中の録画時間に所定時間を順次加算した新たな録画時間を算出してメモリに記憶する更新登録を行う一方、前記ワンタッチレコーディング機能のモードが設定された状態で前記レコーディングキーとキー入力部に既存の特定キーとが同時に操作されたときに、その操作毎に前記メモリに記憶中の録画時間から所定時間を順次減算した新たな録画時間を算出してメモリに記憶する更新登録を行うとともに、前記ワンタッチレコーディング機能のモードの設定時から前記メモリに記憶中の録画時間が経過した時点で録画動作を終了させる制御機能を有していることを特徴とするタイマー機能付き録画システム。
【請求項３】
前記制御部が、前記レコーディングキーと前記特定のキーとが同時に操作されたときに新たな録画時間を算出する制御を行うのに代えて、一定時間内にリモコン送信機のレコーディングキーと既存の特定のキーとが連続的に操作されたときに新たな録画時間を算出する制御を行うようになっている請求項２に記載のタイマー機能付き録画システム。
【請求項４】
前記特定のキーがカーソルダウンキーである請求項１ないし３の何れか１項に記載のタイマー機能付き録画システム。
【請求項５】
レコーディングキーの操作により入力映像データの録画を開始する通常録画機能と、この通常の録画動作時に前記レコーディングキーがさらに操作されることにより残りの録画時間を設定登録するワンタッチレコーディング機能とを有するタイマー機能付き録画システムであって、
操作部から入力する指令信号に基づき制御プログラムを実行することによって装置全体の制御を行う制御部が、前記ワンタッチレコーディング機能のモードが設定された状態で前記操作部のカーソルアップキーが操作されたときに、その操作毎にメモリに記憶中の録画時間に所定時間を順次加算した新たな録画時間を算出してメモリに記憶する更新登録を行う一方、前記ワンタッチレコーディング機能のモードが設定された状態で前記操作部のカーソルダウンキーが操作されたときに、その操作毎に前記メモリに記憶中の録画時間から所定時間を順次減算した新たな録画時間を算出してメモリに記憶する更新登録を行うとともに、前記ワンタッチレコーディング機能のモードの設定時から前記メモリに記憶中の録画時間が経過した時点で録画動作を終了させる制御機能を有していることを特徴とするタイマー機能付き録画システム。
【発明の詳細な説明】
【技術分野】
【０００１】
本発明は、例えば、ＶＣＲまたはＤＶＤレコーダとテレビジョン受像機とを接続した構成を備えて、ＣＳ放送やＢＳ放送などのディジタルテレビジョン放送の映像データおよび音声データをＶＣＲまたはＤＶＤレコーダによりハードディスクやＤＶＤに録画するに際して録画時間の設定登録を行い得るタイマー機能を備えた録画システムに関するものである。
【背景技術】
【０００２】
近年、上記ディジタルテレビジョン放送の映像データを記録する記録媒体として、従来のビデオテープに代えて、ハードディスクを用いた記録再生装置が提案されており、この記録再生装置には一般にタイマー機能を具備している。このタイマー機能としては、レコーディングキー（以下、ＲＥＣキーと略称する）を押圧操作すると、その時点での放送番組の録画の開始を行う通常の録画動作機能と、この通常の録画動作が行われている状態でＲＥＣキーを押圧操作することにより残りの録画時間を設定して、その録画時間が経過するまで録画動作を行うワンタッチレコーディング機能と、放送番組を予約し、その予約開始時刻に録画動作を開始し、且つ予約終了時刻に録画動作を終了する番組予約機能とを有している。
【０００３】
上記ワンタッチレコーディング機能は、図６に示すように、ＲＥＣキーの押圧操作によって通常の録画動作が開始されたのちに、さらにＲＥＣキーを１回押圧操作すると、３０分の録画時刻をメモリに一時記憶して登録し、現在の時刻から３０分経過後に録画動作を終了するように設定し、もう一度ＲＥＣキーを押圧操作することにより、録画時間をさらに３０分延長して１時間に更新登録し、さらに続けてＲＥＣキーを押圧操作し続けることにより、録画時間を３０分ずつ延長した録画時間を更新登録するようになっている。そして、図６の記録再生装置の場合には、通常の録画動作となった時点からＲＥＣキーを１６回押圧操作したときに、最大録画時間の８時間を設定登録し、この状態からＲＥＣキーをさらに１回押圧操作すると、録画時間の設定を抹消して通常の録画動作に復帰し、録画時間の設定サイクルが終了する。この通常の録画動作状態からＲＥＣキーを押圧操作すると、上述した録画時間の設定サイクルが再び繰り返されるようになっている。
【０００４】
一方、上記番組予約機能は、プログラム番号、予約日、録画開始時刻、録画終了時刻、チャンネルおよび動作モードからなる予約プログラムを、例えばリモコン送信機のキー入力で設定すれば、現在時刻が設定された録画開始時刻になった時点で自動的に録画動作を開始し、且つ録画終了時刻に録画動作が自動的に終了するようになっている。この番組予約機能としては、例えば、野球放送が延長されたり、特別番組が放送されたりして、後の放送予定の時刻が繰り下げられた場合に、プラスのワンタッチシフトキーを１回操作する毎に時刻シフト量を１０分加算し、且つマイナスのワンタッチシフトキーを１回操作する毎に時刻シフト量を１０分減算するようにして、極めて簡単な操作で録画開始時刻と予約終了時刻の双方を同時に前後にシフトさせることができるタイマー機能を備えたビデオテープレコーダが提案されている（例えば、特許文献１参照）。
【特許文献１】特開平５−２７４７４３号公報
【発明の開示】
【発明が解決しようとする課題】
【０００５】
しかしながら、図６のワンタッチレコーディング機能における録画時間の設定方法では、例えば、３時間の録画時間を設定するに際して、ＲＥＣキーを１回多く操作してしまって３時間３０分の録画時間を誤設定すると、この設定した録画時間を３時間に修正するためには、ＲＥＣキーを１６回操作し続けて録画時間設定サイクルを一周させる煩雑な操作を行わなければならない。一方、８時間や７時間といった比較的長い録画時間を設定する場合には、通常の録画動作としたのちに、ＲＥＣキーの操作を１５回または１６回といった多くの回数繰り返さなければならず、失敗しないように留意しながら多数回の操作を行うのが面倒である。
【０００６】
一方、特許文献１に開示の番組予約機能は、簡単な操作で録画開始時刻と予約終了時刻の双方を同時に前後にシフトさせることができるものであるが、この便利なタイマー機能を上記ワンタッチレコーディング機能における録画時間の設定に活用しようとすれば、ワンタッチレコーディング機能における録画時間設定用として、プラスおよびマイナスの各ワンタッチシフトキーを別途設けるとともに、マイコンが実行する制御プログラムを別途設けなければならず、コスト高となる。
【０００７】
本発明は、前記従来の課題に鑑みてなされたもので、既存の構成を利用することによってコスト高となるのを避けながら、ワンタッチレコーディンク機能における録画時間の設定操作を容易、且つ迅速に行えるタイマー機能を備えた録画システムを提供することを目的とするものである。
【課題を解決するための手段】
【０００８】
上記目的を達成するために、請求項１に係る発明のタイマー機能付き録画システムは、レコーディングキーが操作された時点で放送番組の録画を開始する通常録画機能と、この通常の録画動作時に前記レコーディグキーがさらに操作されることにより残りの録画時間を設定登録するワンタッチレコーディング機能とを有するタイマー機能付き録画システムであって、少なくとも前記レコーディングキーを含む各種の操作キーを有するキー入力部と、前記キー入力部から入力する指令信号に基づき制御プログラムを実行することによって装置全体を制御する制御部と、前記制御部による制御を受けて、設定録画時間を一時記憶するメモリ、所定時間の計時を行うタイマー回路部および放送番組の映像データおよび音声データを記録媒体に記録する録画処理系とを備え、前記制御部が、前記ワンタッチレコーディング機能のモードが設定された状態で前記レコーディングキーが操作されたときに最小録画時間を前記メモリに設定登録し、さらに前記レコーディングキーが操作されたときに、その操作毎に前記メモリに記憶中の録画時間に所定時間を順次加算した録画時間を新たに算出して前記メモリに更新登録する一方、前記ワンタッチレコーディング機能のモードが設定された状態で前記レコーディングキーと前記キー入力部に既存の特定キーとが同時に操作されたときに最大録画時間をメモリに設定登録し、さらに前記レコーディングキーと前記特定キーとが同時に操作されたときに、その操作毎に前記メモリに記憶中の録画時間から所定時間を順次減算した録画時間を新たに算出して前記メモリに更新登録する機能と、前記ワンタッチレコーディング機能のモードが設定されたのちに最初の録画時間が前記メモリに初期設定された時点から前記タイマー回路部に計時動作を開始させて、その計時時間が前記メモリに記憶中の録画時間に達した時点で録画動作を終了させるよう前記録画処理系を制御する機能と、を有していることを特徴としている。
【０００９】
請求項２に係る発明のタイマー機能付き録画システムは、レコーディングキーの操作により入力映像データの録画を開始する通常録画機能と、この通常の録画動作時に前記レコーディングキーがさらに操作されることにより残りの録画時間を設定登録するワンタッチレコーディング機能とを有するタイマー機能付き録画シテスムであって、操作部から入力する指令信号に基づき制御プログラムを実行することによって装置全体の制御を行う制御部が、前記ワンタッチレコーディング機能のモードが設定された状態で前記レコーディングキーがさらに操作されたときに、その操作毎にメモリに記憶中の録画時間に所定時間を順次加算した新たな録画時間を算出してメモリに記憶する更新登録を行う一方、前記ワンタッチレコーディング機能のモードが設定された状態で前記レコーディングキーとキー入力部に既存の特定キーとが同時に操作されたときに、その操作毎に前記メモリに記憶中の録画時間から所定時間を順次減算した新たな録画時間を算出してメモリに記憶する更新登録を行うとともに、前記ワンタッチレコーディング機能のモードの設定時から前記メモリに記憶中の録画時間が経過した時点で録画動作を終了させる制御機能を有していることを特徴としている。
【００１０】
請求項３に係る発明のタイマー機能付き録画システムは、請求項２の発明における制御部が、前記レコーディングキーと前記特定のキーとが同時に操作されたときに新たな録画時間を算出する制御を行うのに代えて、一定時間内にリモコン送信機のレコーディングキーと既存の特定キーとが連続的に操作されたときに新たな録画時間を算出する制御を行うようになっている。
【００１１】
請求項４に係る発明のタイマー機能付き録画システムは、請求項１ないし３の何れか１項の発明において、前記特定のキーとしてカーソルダウンキーを用いるようにものである。
【００１２】
請求項５に係る発明のタイマー機能付き録画システムは、レコーディングキーの操作により入力映像データの録画を開始する通常録画機能と、この通常の録画動作時に前記レコーディングキーがさらに操作されることにより残りの録画時間を設定登録するワンタッチレコーディング機能とを有するタイマー機能付き録画システムであって、操作部から入力する指令信号に基づき制御プログラムを実行することによって装置全体の制御を行う制御部が、前記ワンタッチレコーディング機能のモードが設定された状態で前記操作部のカーソルアップキーが操作されたときに、その操作毎にメモリに記憶中の録画時間に所定時間を順次加算した新たな録画時間を算出してメモリに記憶する更新登録を行う一方、前記ワンタッチレコーディング機能のモードが設定された状態で前記操作部のカーソルダウンキーが操作されたときに、その操作毎に前記メモリに記憶中の録画時間から所定時間を順次減算した新たな録画時間を算出してメモリに記憶する更新登録を行うとともに、前記ワンタッチレコーディング機能のモードの設定時から前記メモリに記憶中の録画時間が経過した時点で録画動作を終了させる制御機能を有していることを特徴としている。
【発明の効果】
【００１３】
請求項１の発明では、ワンタッチレコーディング機能のモードが設定された状態でレコーディングキーが操作される毎にメモリに記憶中の録画時間に所定時間を順次加算した新たな録画時間を算出してメモリに更新登録する録画時間アップ設定サイクルと、ワンタッチレコーディング機能のモードが設定された状態でレコーディングキーと既存の特定のキーとが同時に操作される毎にメモリに記憶中の録画時間から所定時間を順次減算した新たな録画時間を算出してメモリに更新登録する録画時間ダウン設定サイクルとを有しているから、何れか一方の設定サイクルに基づき録画時間の設定操作を行っている際にキーを１回余分に押圧する誤操作をした場合、他方の設定サイクルに対応するキーを１回操作するだけで所望の録画時間に修正することができ、また、例えば８時間や７時間３０分といった長い録画時間を設定する場合に、レコーディングキーと特定のキーとの同時操作を行って最大録画時間を設定したのち録画時間ダウン設定サイクルに基づく録画時間の設定操作を行うことにより、所望の長い録画時間を極めて迅速に設定することができる。
【００１４】
そのため、このタイマー機能付き録画システムでは、従来の録画時間の設定方法と比較して、所望の録画時間を格段に容易な操作で迅速に設定することができ、しかも、既存の特定のキーを録画時間の設定用の用途にも兼用していることにより、制御部が実行する制御プログラムの一部を変更するだけで上記機能を得ることができるので、コスト高を招くこともない。
【００１５】
請求項２の発明では、レコーディングキーが操作される毎にメモリに記憶中の録画時間に所定時間を順次加算した新たな録画時間を算出してメモリに更新登録する録画時間アップ設定サイクルと、レコーディングキーと既存の特定のキーとが同時に操作される毎にメモリに記憶中の録画時間から所定時間を順次減算した新たな録画時間を算出してメモリに更新登録する録画時間ダウン設定サイクルとを有しているから、一方の設定サイクルに基づき録画時間の設定操作を行っている際に誤操作した場合、他方の設定サイクルに対応するキーを１回操作するだけで所望の録画時間に修正することができ、また、長い録画時間を設定する場合であっても、録画時間ダウン設定サイクルに基づき迅速に設定することができるため、従来の録画時間の設定方法と比較して、所望の録画時間を格段に容易な操作で迅速に設定することができ、しかも、既存の特定のキーを録画時間の設定用の用途にも兼用していることにより、制御部が実行する制御プログラムの一部を変更するだけで上記機能を得ることができるので、コスト高を招くこともない。
【００１６】
請求項３の発明では、従来の録画時間の設定方法と比較して、所望の録画時間を格段に容易な操作で迅速に設定することができ、しかも、制御部が実行する制御プログラムの一部を変更するだけでよいことから、コスト高を招くことがない効果が得られるのに加えて、録画時間の設定操作をリモコン送信機を用いて行えるので、装置本体に設けられたキー入力部を操作する場合に比較して、一層容易に録画時間の設定操作を行うことができる利点がある。
【００１７】
請求項４の発明では、録画時間ダウン設定サイクルに基づく録画時間の設定操作にカーソルダウンキーを兼用するので、「ダウン」という共通した概念により、使用者に操作すべきキーを間違いなく覚えさせることができる利点がある。
【００１８】
請求項５の発明では、キーが操作される毎にメモリに記憶中の録画時間に所定時間を順次加算した新たな録画時間を算出してメモリに更新登録する録画時間アップ設定サイクルと、キーが操作される毎にメモリに記憶中の録画時間から所定時間を順次減算した新たな録画時間を算出してメモリに更新登録する録画時間ダウン設定サイクルとを有しているから、一方の設定サイクルに基づき録画時間の設定操作を行っている際に誤操作した場合、他方の設定サイクルに対応するキーを１回操作するだけで所望の録画時間に修正することができ、また、長い録画時間を設定する場合であっても、録画時間ダウン設定サイクルに基づき迅速に設定することができるため、従来の録画時間の設定方法と比較して、所望の録画時間を格段に容易な操作で迅速に設定することができる。
【００１９】
また、既存のキーを録画時間の設定用の用途にも兼用していることにより、制御部が実行する制御プログラムの一部を変更するだけで上記機能を得ることができるので、コスト高を招くこともない。さらに、録画時間アップ設定サイクルおよび録画時間ダウン設定サイクルに基づく録画時間の設定を、カーソルアップキーおよびカーソルダウンキーをそれぞれ操作するだけで行えるから、２種のキーを同時操作する場合に比較して、操作が一層容易になるとともに、２種のキーの同時操作を行わないことから、リモコン送信機を用いて録画時間の設定を行えるので、装置本体に設けられたキー入力部を操作する場合に比較して、一層容易に録画時間の設定操作を行うことができる。
【００２０】
しかも、録画時間アップ設定サイクルおよび録画時間ダウン設定サイクルと、これに基づく録画時間の設定操作に兼用するカーソルアップキーおよびカーソルダウンキーとの双方に、「アップ」および「ダウン」という共通する概念が存在することにより、使用者に操作すべき２種のキーを間違いなく覚えさせることができる利点がある。
【発明を実施するための最良の形態】
【００２１】
以下、本発明の好ましい実施の形態について、図面を参照しながら詳細に説明する。図１は、本発明の第１の実施の形態に係るタイマー機能付き録画システムにおける録画制御系を示すブロック構成図であり、この実施の形態では、テレビジョン受像機にＤＶＤレコーダを接続した構成を例示してあるが、同図では、理解を容易にするために、実用化に際して必然的に設けられる周知の構成を省略して、簡略化した構成として図示してある。
【００２２】
図１において、テレビジョン受像機は、テレビジョン放送電波を受信するアンテナ１と、周知のチューナ、ＩＦ（中間周波数）増幅部および検波部などを備えた放送受信部２と、周知の映像増幅部、色復調部および映像出力部などを備えた映像処理部３と、この映像処理部３から出力される映像信号を画面表示するＣＲＴまたはＬＣＤなどのディスプレイ４と、周知の音声復調部、音声増幅部および音声出力部などを備えた音声処理部７と、この音声処理部７から出力されるテレビジョン放送電波の音声信号を音声に変換して出力するスピーカ８を備えている。
【００２３】
一方、ＤＶＤレコーダは、各部の制御を行う制御部９と、この制御部９が実行すべき制御プログラムおよび制御データがそれぞれ記録されたＲＯＭ１０およびＲＡＭ１１と、制御部９に対し種々の動作指令を与えるキー入力部１２およびリモコン送信機１３と、リモコン送信機１３から送信される赤外線による指令信号を受信して制御部９に対し出力するリモコン受信部１４と、後述のワンタッチレコーディング録画モード時に設定された録画時間を一時記憶するメモリ１７と、制御部９からの指令により計時動作を行うタイマー回路部１８とを備えている。
【００２４】
さらに、ＤＶＤレコーダには、映像処理部３からの映像データおよび音声処理部７からの音声データをインターフエイス部１９を介して取り込んでＭＰＥＧ２方式で情報圧縮したディジタル信号に変換するＭＰＥＧエンコーダ２０と、光ピックアップ、光ディスクであるＤＶＤを搭載したターンテーブルを回転させるスピンドルモータ、このスピンドルモータを駆動制御するスピンドルサーボ部、光ピックアップを移動させるスレッドモータ、このスレッドモータを駆動制御するトラッキングスレッドサーボ部などを備えてＤＶＤに記録されたデータを再生し、且つＤＶＤにデータを記録させる記録・再生機構部２２と、上記ＭＰＥＧエンコーダ２０からのディジタル信号を記録・再生機構部２２によってＤＶＤに記録させるよう制御する記録信号処理部２１を備えている。
【００２５】
また、上記録画システムのＤＶＤレコーダに設けられたキー入力部１２およびリモコン送信機１３にはそれぞれ、通常の録画動作の開始およびワンタッチレコーディング機能における録画時間の設定登録をそれぞれ指定入力するためのＲＥＣキー１２ａ，１３ａと、ディスプレイ４に表示中のメニューにおける所要項目をカーソルの移動により指定するためのカーソルアップキー１２ｂ，１３ｂおよびカーソルダウンキ１２ｃ，１３ｃと、図示を省略しているが、通常の録画動作を終了させるためのストップキーを含む種々の操作キーを具備している。
【００２６】
上述した図１の構成は、従来のタイマー機能付き録画システムが一般的に具備している既存の構成であり、この第１の実施の形態では、上記既存の構成をそのまま活用しながら、ＲＯＭ１０に記憶する制御プログラムの一部を変更するだけで、ワンタッチレコーディンク機能における録画時間の設定を容易、且つ迅速に行えるように図ったものである。つぎに、図２のフローチャートを参照しながら制御部９による録画時間の設定処理について説明する。なお、この実施の形態では、録画システムにおけるＤＶＤレコーダに設けられたキー入力部１２の手動操作により録画時間を設定する場合を例示してある。
【００２７】
制御部９は、キー入力部１２のＲＥＣキー１２ａが操作されるのを監視しながら待って（ステップＳ１）、ＲＥＣキー１２ａが操作されたと判別したときに、通常の録画動作を開始させるよう制御する（ステップＳ２）。すなわち、ディスプレイ４に画面表示されているテレビジョン放送番組を観賞している使用者が放映中の放送番組を録画したいと考えてＲＥＣキー１２ａを押圧操作したときには、制御部９が、ＲＥＣキー１２ａが操作されたと判別した時点で、映像処理部３からの映像データおよび音声処理部４からの音声データをＭＰＥＧエンコーダ２０に対し入力するようにインターフェイス部１９を制御するとともに、ＭＰＥＧエンコーダ２０、記録信号処理部２１および記録・再生機構２２を駆動させて、映像データおよび音声データをＤＶＤに記録する通常の録画動作を行わせる。なお、映像データおよび音声データは、ＤＶＤに記録するのに先立って、ハードディスクに一旦記憶される場合もある。
【００２８】
続いて、制御部９は、上述の通常の録画動作を開始させたのちに、ＲＥＣキー１２ａの操作の有無の判別（ステップＳ３）、後述する２種のキーの同時操作の有無の判別（ステップＳ４）およびストップキーの操作の有無の判別（ステップＳ５）を順次行う。上記２種のキーとしては、この実施の形態において、ＲＥＣキー１２ａとカーソルダウンキー１２ｃが指定されている。
【００２９】
制御部９は、ＲＥＣキー１２ａの操作または上記２種のキー１２ａ，１２ｃの同時操作の何れか一方が行われたと判別した時点で、ワンタッチレコーディング機能のモードを設定するとともに、ＲＥＣキー１２ａのみが操作された場合に最小録画時間である３０分を設定して、この３０分の残り録画時間をメモリ１７に一時記憶して登録し（ステップＳ６）、一方、ＲＥＣキー１２ａとカーソルダウンキー１２ｃとが同時操作された場合に最大録画時間である８時間を設定して、この８時間の残り録画時間をメモリ１７に一時記憶して登録し（ステップＳ７）、この録画時間の設定登録と同時に、タイマー回路部１８に対し上記設定録画時間の計時を開始させる。
【００３０】
つぎに、制御部９は、タイマー回路部１８の計時時間に基づきメモリ１７に初期設定した録画時間が経過したか否かの判別（ステップＳ８）を開始するが、録画時間の経過であると判別しないときに、ＲＥＣキー１２ａが操作されたか否かの判別（ステップＳ９）とＲＥＣキー１２ａとカーソルダウンキー１２ｃが同時操作されたか否かの判別（ステップＳ１１）とを繰り返す。
【００３１】
上記判別処理において、ＲＥＣキー１２ａが操作されたと判別したときには、メモリ１７に設定登録している録画時間に３０分を加算した新たな録画時間を算出して、この算出した録画時間をメモリ１７に登録中の録画時間に代えて更新登録し（ステップＳ１０）、この録画時間を更新する処理を、ＲＥＣキー１２ａが操作されたと判別する毎に行う。
【００３２】
一方、ＲＥＣキー１２ａとカーソルダウンキー１２ｃが同時操作されたと判別したときには、メモリ１７に設定登録している録画時間から３０分を減算した新たな録画時間を算出して、この算出した録画時間をメモリ１７に登録中の録画時間に代えて更新登録し（ステップＳ１２）、この録画時間を更新する処理を、ＲＥＣキー１２ａとカーソルダウンキー１２ｃが同時に操作されたと判別する毎に行う。
【００３３】
但し、タイマー回路部１８は、上述の設定録画時間の更新の有無に拘わらずリセットされることがなく、録画時間が初期設定された時点で開始した計時動作をそのまま継続する。したがって、制御部９は、メモリ１７に新たに更新登録された録画時間からタイマー回路部１８の計時時間を減算して残り録画時間を常に算出しながら、その残り録画時間がゼロになった否か、つまり設定録画時間が経過したか否かを判別して（ステップＳ９）、設定録画時間が経過したと判別した時点で、映像データおよび音声データのＭＰＥＧエンコーダ２０への入力を禁止するようにインターフェイス部１９を制御するとともに、ＭＰＥＧエンコーダ２０、記録信号処理部２１および記録・再生機構２２の駆動を停止して、録画動作を終了させる（ステップＳ１３）。
【００３４】
なお、制御部９は、上述の録画時間の初期設定登録時および更新登録時の何れの場合においても、録画時間をメモリ１７に一時記憶すると同時に、その記憶する録画時間を図１に示す表示制御回路２３を介してディスプレイ４にその都度表示させるように制御する。上記表示制御回路２３は、例えばオンスクリーン表示回路である。これにより、使用者は、自身の操作により設定した録画時間をディスプレイ４で視認することができるから、所望の録画時間を確実に設定することができる。
【００３５】
一方、使用者によるＲＥＣキー１２ａの押圧操作によって通常の録画動作を開始したのち、ＲＥＣキー１２ａの操作またはＲＥＣキー１２ａとカーソルダウンキー１２ｃとの同時操作の何れもが行われなかった場合には、通常の録画動作を継続して、制御部９がストップキーの押圧操作であると判別した（ステップＳ５）時点で録画動作を終了させる（ステップＳ１３）。
【００３６】
図３は、図２の制御処理による録画時間の設定の推移を判りやすく示した説明図である。上記タイマー機能付き録画システムでは、ＲＥＣキー１２ａの操作により通常の録画動作が開始されたのちに、ＲＥＣキー１２ａが操作されたときに、ワンタッチレコーディング動作モードに移行して３０分の最小録画時間を初期設定し、その後に、ＲＥＣキー１２ａの操作が繰り返された場合、その操作される毎にそれぞれ３０分を順次加算した新たな録画時間を算出して更新し続け、最大録画時間の８時間が設定されたのちに、さらにＲＥＣキー１２ａが操作されると、録画時間をゼロとして通常の録画動作に復帰し、以後、ＲＥＣキー１２ａがさらに操作されたときに、上述の録画時間の設定を繰り返す録画時間アップ設定サイクルＵＣで録画時間を設定できるようになっている。この録画時間アップ設定サイクルＵＣは、図６で説明した従来のタイマー機能付き録画システムが有している録画時間設定サイクルと同じである。
【００３７】
さらに、上記タイマー機能付き録画システムでは、上記録画時間アップ設定サイクルＵＣを有しているのに加えて、録画時間ダウン設定サイクルＤＣにより録画時間の設定を行えるようになっている。すなわち、録画時間ダウン設定サイクルＤＣは、ＲＥＣキー１２ａの操作により通常の録画動作が開始されたのちに、ＲＥＣキー１２ａとカーソルダウンキー１２ｃとが同時に操作されたときに、ワンタッチレコーディング動作モードに移行して８時間の最大録画時間を初期設定し、その後に、ＲＥＣキー１２ａとカーソルダウンキー１２ｃの同時操作が繰り返された場合、その操作されたとき毎にそれぞれ３０分を順次減算した新たな録画時間を算出して更新し続け、最小録画時間の３０分が設定されたのちに、さらにＲＥＣキー１２ａとカーソルダウンキー１２ｃが同時に操作されると、録画時間をゼロとして通常の録画動作に復帰し、以後、ＲＥＣキー１２ａとカーソルダウンキー１２ｃがさらに同時操作されたときに、上述の録画時間の設定を繰り返すものである。
【００３８】
このように２種の録画時間設定サイクルＵＣ，ＤＣを有していることにより、上記タイマー機能付き録画シテスムでは、ワンタッチレコーディング動作モードにおいて録画時間アップ設定サイクルＵＣに基づき録画時間の設定操作を行っている際に、例えば、１時間３０分の録画時間を設定すべきときにＲＥＣキー１２ａを１回余分に押圧して２時間の録画時間を設定する誤操作をしてしまった場合、ＲＥＣキー１２ａとカーソルダウンキー１２ｃとを同時に押圧する操作を１回行うだけで、録画時間ダウン設定サイクルＤＣに基づき録画時間を所望の１時間３０分に戻す修正を行うことができる。
【００３９】
上述とは逆に、録画時間ダウン設定サイクルＤＣに基づき録画時間の設定動作を行っている際に誤操作してしまった場合には、ＲＥＣキー１２ａを押圧する操作を１回行うだけで、録画時間アップ設定サイクルＵＣに基づき録画時間を修正することができる。これに対し、従来のタイマー機能付き録画システムでは、図６で説明したように、誤操作したときにＲＥＣキーを１６回操作し続けて録画時間設定サイクルを一周させなければならない。
【００４０】
また、最大録画時間である８時間または７時間３０分といった長い録画時間を設定する場合には、通常の録画動作を開始させたのちに、ＲＥＣキー１２ａとカーソルダウンキー１２ｃとの同時操作を１回または２回行うだけで、録画時間ダウン設定サイクルＤＣに基づき所望の長い録画時間を即座に設定することができる。これに対し、従来のタイマー機能付き録画システムでは、８時間または７時間３０分といった長い録画時間を設定する場合、通常の録画動作を開始させたのちに、ＲＥＣキーを１６回または１５回操作し続けなければならない。
【００４１】
そのため、上記タイマー機能付き録画システムでは、従来の録画時間の設定と比較して、所望の録画時間を格段に容易な操作で迅速に設定することができ、しかも、既存のカーソルダウンキー１２ｃを録画時間の設定用の用途にも兼用していることにより、制御部９が実行する制御プログラムの一部を変更するだけで上述した機能を得ることができるので、コスト高を招くこともない。さらに、録画時間ダウン設定サイクルＤＣに基づく録画時間の設定操作にはカーソルダウンキー１２ｃを兼用しているので、双方に「ダウン」という共通した概念が存在することにより、使用者に録画時間ダウン設定サイクルＤＣに基づく録画時間の設定に使用すべきキーがカーソルダウンキー１２ｃであることを間違いなく覚えさせることができる利点がある。
【００４２】
図４は、本発明の第２の実施の形態に係るタイマー機能付き録画システムにおけるワンタッチレコーディング動作モードでの録画時間の設定の制御処理を示すフローチャートである。この実施の形態では、第１の実施の形態で用いたキー入力部１２に代えて、図１の録画システムにおけるＤＶＤレコーダが備えているリモコン送信機１３の手動操作により録画時間を設定するようになっている。なお、この実施の形態においても、第１の実施の形態と同様に、従来のタイマー機能付き録画システムが一般的に具備している既存の構成をそのまま活用しながら、ＲＯＭ１０に記憶する制御プログラムの一部を変更するだけで、ワンタッチレコーディンク機能における録画時間の設定を容易、且つ迅速に行えるように図っている。
【００４３】
図４において、制御部９は、リモコン受信部１４からの入力信号に基づきリモコン送信機１３のＲＥＣキー１３ａが操作されるのを監視しながら待って（ステップＳ２１）、ＲＥＣキー１３ａが操作されたと判別した時点で、通常の録画動作を開始させるよう制御する（ステップＳ２２）。
【００４４】
続いて、制御部９は、上述の通常の録画動作を開始させたのちに、ＲＥＣキー１３ａの操作の有無の判別（ステップＳ２３）およびリモコン送信機１３のストップキーの操作の有無の判別（ステップＳ２４）を順次行い、ストップキーの操作に先立ってＲＥＣキー１３ａが操作されたと判別したときに、ワンタッチレコーディング機能のモードを設定するとともに、タイマー回路部１８に対し所定時間、例えば１０秒の計時動作の開始を指令したのち、そのタイマー回路部１８の計時時間に基づき所定時間が経過したか否かを監視しながら（ステップＳ２５）、その所定時間が経過するまでの間にリモコン送信機１３のカーソルダウンキー１３ｃが操作されたか否かの判別を行う（ステップＳ２６）。
【００４５】
制御部９は、ＲＥＣキー１３ａの操作に基づいてワンタッチレコーディング機能のモードを設定した時点からカーソルダウンキー１３ｃが操作されることなく上記所定時間が経過したと判別した（ステップＳ２５）ときに、最小録画時間である３０分を設定して、この３０分の残り録画時間をメモリ１７に一時記憶して設定登録し（ステップＳ２７）、一方、所定時間が経過する前にカーソルダウンキー１３ｃとが操作されたと判別した（ステップＳ２６）ときに、最大録画時間である８時間を設定して、この８時間の残り録画時間をメモリ１７に一時記憶して設定登録し（ステップＳ２８）、この何れか一方の録画時間を初期設定した直後に、タイマー回路部１８に対し一旦リセットしたのちに、上記設定録画時間の計時動作を開始させる。
【００４６】
つぎに、制御部９は、メモリ１７に初期設定した録画時間が経過したか否かの判別をタイマー回路部１８の計時時間に基づき行い（ステップＳ２９）、録画時間が経過したと判別するまでの間に、ＲＥＣキー１２ａが操作されたか否かの判別（ステップＳ３０）を行う。そして、制御部９は、設定録画時間が経過する前にＲＥＣキー１３ａが操作されたと判別（ステップＳ３０）したときに、タイマー回路部１８の計時時間に基づき所定時間、例えば１０秒が経過したか否かを監視しながら（ステップＳ３１）、その所定時間が経過するまでの間にリモコン送信機１３のカーソルダウンキー１３ｃが操作されたか否かの判別を行う（ステップＳ３２）。
【００４７】
上記判別処理において、カーソルダウンキー１３ｃが操作されることなく１０秒の所定時間が経過したと判別した（ステップＳ３１）ときには、メモリ１７に設定登録している録画時間に３０分を加算した新たな録画時間を算出して、この算出した録画時間をメモリ１７に登録中の録画時間に代えて更新登録する（ステップＳ３３）。
【００４８】
一方、１０秒の所定時間が経過する以前にカーソルダウンキー１３ｃが操作されたと判別した（ステップＳ３２）ときには、メモリ１７に設定登録している録画時間から３０分を減算した新たな録画時間を算出して、この算出した録画時間をメモリ１７に登録中の録画時間に代えて更新登録する（ステップＳ３４）。
【００４９】
すなわち、この実施の形態においても、図３で説明したとほぼ同様の録画時間アップ設定サイクルＵＣおよび録画時間ダウン設定サイクルＤＣの２種の設定サイクルにより録画時間の設定を行えるようになっている。録画時間アップ設定サイクルＵＣは、ワンタッチレコーディング機能のモードを設定したのちにＲＥＣキー１３ａが操作され続けた場合に、その操作される毎に設定録画時間に３０を加算した新たな録画時間を順次算出して更新登録する。録画時間ダウン設定サイクルＤＣは、ワンタッチレコーディング動作モードを設定したのちに１０秒の所定時間内においてＲＥＣキー１３ａとカーソルダウンキー１３ｃが連続的に操作された場合に、その操作される毎に設定録画時間から３０を減算した新たな録画時間を順次算出して更新登録する。
【００５０】
リモコン送信機１３は、キー操作による指令信号を赤外線信号によりリモコン受信部１４に対し送信することから、キー入力部１２のように２種のキーの同時操作による信号を送信することができないので、この実施の形態では、ＲＥＣキー１３ａの操作の繰り返しにより録画時間アップ設定サイクルＵＣに基づく録画時間の設定を行うようにするとともに、１０秒の所定時間内におけるＲＥＣキー１３ａとカーソルダウンキー１３ｃの連続操作の繰り返しにより録画時間ダウン設定サイクルＤＣに基づく録画時間の設定を行うようにしている。
【００５１】
但し、タイマー回路部１８は、第１の実施の形態と同様に、上述の設定録画時間の更新の有無に拘わらずリセットされることがなく、録画時間を初期設定した時点で開始した計時動作をそのまま継続する。したがって、制御部９は、メモリ１７に新たに更新登録された録画時間からタイマー回路部１８の計時時間を減算して残り録画時間を常に算出しながら、その残り録画時間がゼロになった否か、つまり設定録画時間が経過したか否かを判別して（ステップＳ２９）、設定録画時間が経過したと判別した時点で、映像データおよび音声データのＭＰＥＧエンコーダ２０への入力を禁止するようにインターフェイス部１９を制御するとともに、ＭＰＥＧエンコーダ２０、記録信号処理部２１および記録・再生機構２２の駆動を停止して、録画動作を終了させる（ステップＳ３５）。
【００５２】
なお、制御部９は、第１の実施の形態と同様に、上述の録画時間の初期設定登録時および更新登録時の何れの場合においても、録画時間をメモリ１７に一時記憶すると同時に、その記憶する録画時間を図１に示す表示制御回路２３を介してディスプレイ４に表示させるように制御する。これにより、使用者は、自身の操作により設定した録画時間をディスプレイ４で視認することができるから、所望の録画時間を確実に設定できる。
【００５３】
一方、使用者によるＲＥＣキー１３ａの押圧操作によって通常の録画動作を開始したのち、ＲＥＣキー１３ａが操作されなかった場合には、通常の録画動作を継続して、制御部９がストップキーが押圧操作されたと判別した（ステップＳ２４）時点で録画動作を終了させる（ステップＳ３５）。
【００５４】
したがって、この実施の形態のタイマー機能付き録画シテスムにおいても、第１の実施の形態とほぼ同様の２種の録画時間設定サイクルＵＣ，ＤＣを有していることから、従来の録画時間の設定と比較して、所望の録画時間を格段に容易な操作で迅速に設定することができ、しかも、リモコン送信機１３の既存のカーソルダウンキー１３ｃを録画時間の設定用の用途にも兼用したことにより、制御部９が実行する制御プログラムの一部を変更するだけで上記機能を得ることができるので、コスト高を招くことがなく、さらに、録画時間ダウン設定サイクルＤＣとこれに基づく録画時間の設定操作に兼用するカーソルダウンキー１３ｃとの双方に共通する「ダウン」という概念により、使用者に操作すべきキー１３ｃを間違いなく覚えさせることができる利点がある。
【００５５】
上述のような効果に加えて、この実施の形態では、上記録画時間の設定操作をリモコン送信機１４を用いて行えるようにしたので、使用者は、ＤＶＤレコータの装置本体に設けられたキー入力部１２を操作する場合に比較して、一層容易に録画時間の設定操作を行える利点がある。
【００５６】
図５は、本発明の第３の実施の形態に係るタイマー機能付き録画システムにおけるワンタッチレコーディング動作モードでの録画時間の設定の制御処理を示すフローチャートである。この実施の形態では、第２の実施の形態と同様に、図１の録画システムにおけるＤＶＤレコーダが備えているリモコン送信機１３の手動操作により録画時間を設定するようになっている。なお、この実施の形態においても、第１および第２の実施の形態と同様に、従来のタイマー機能付き録画システムが一般的に具備している既存の構成をそのまま活用しながら、ＲＯＭ１０に記憶する制御プログラムの一部を変更するだけで、ワンタッチレコーディンク機能における録画時間の設定操作を容易、且つ迅速に行えるように図っている。
【００５７】
図５において、制御部９は、リモコン受信部１４からの入力信号に基づきリモコン送信機１３のＲＥＣキー１３ａが操作されるのを監視しながら待って（ステップＳ４１）、ＲＥＣキー１３ａが操作されたと判別した時点で、通常の録画動作モードを設定して録画動作を開始させるよう制御する（ステップＳ４２）。
【００５８】
続いて、制御部９は、上述の通常の録画動作を開始させたのちに、ＲＥＣキー１３ａの操作の有無の判別（ステップＳ４３）およびリモコン送信機１３のストップキーの操作の有無の判別（ステップＳ４４）を順次行い、ストップキーの操作に先立ってＲＥＣキー１３ａが操作されたと判別したときに、ワンタッチレコーディング機能のモードを設定（ステップＳ４５）したのち、リモコン受信部１４からの入力信号に基づきリモコン送信機１３のカーソルアップキー１３ｂが操作されたか否かの判別（ステップＳ４６）と、カーソルダウンキー１３ｃが操作されたか否かの判別（ステップＳ４７）とを繰り返す。すなわち、制御部９は、ワンタッチレコーディング機能のモードを設定したのちに、カーソルアップキー１３ｂまたはカーソルダウンキー１３ｃの何れか一方が操作されるのを監視しながら待つ。
【００５９】
制御部９は、カーソルアップキー１３ｂが操作されたと判別したときに（ステップＳ４６）、最小録画時間である３０分を設定して、この３０分の残り録画時間をメモリ１７に一時記憶して登録し（ステップＳ４８）、一方、カーソルダウンキー１３ｃが操作されたと判別したときに（ステップＳ４７）、最大録画時間である８時間を設定して、この８時間の残り録画時間をメモリ１７に一時記憶して登録し（ステップＳ４９）、何れの録画時間を設定した場合にも、その登録した時点からタイマー回路部１８を駆動して録画時間の計時動作を開始させる。
【００６０】
上述のように、制御部９は、一部変更された制御プログラムを実行することにより、ワンタッチレコーディング機能のモードを設定した条件下においてカーソルアップキー１３ｂまたはカーソルダウンキー１３ｃの何れかが操作された場合に限り、カーソルアップキー１３ｂおよびカーソルダウンキー１３ｃを本来の機能とは異なる録画時間の設定用キーとして取り扱って制御処理する。したがって、制御部９は、ワンタッチレコーディング動作モードが設定されていない状態、つまりディスプレイ４にメニューが表示中の状態でカーソルアップキー１３ｂまたはカーソルダウンキー１３ｃが操作された場合、従来と同様にディスプレイ４に表示中のカーソルをアップ移動またはダウン移動させるように制御処理する。
【００６１】
つぎに、制御部９は、メモリ１７に初期設定した録画時間が経過したか否かの判別をタイマー回路部１８の計時時間に基づき行い（ステップＳ５０）、録画時間が経過したと判別するまでの間に、カーソルアップキー１３ｂが操作されたか否かの判別（ステップＳ５１）とカーソルダウンキー１３ｃが操作されたか否かの判別（ステップＳ５２）とを繰り返す。そして、制御部９は、設定録画時間が経過する前にカーソルアップキー１３ｂが操作されたと判別（ステップＳ５１）したときに、メモリ１７に設定登録している録画時間に３０分を加算した新たな録画時間を算出して、この算出した録画時間をメモリ１７に登録中の録画時間に代えて更新登録し、（ステップＳ５３）、一方、カーソルダウンキー１３ｃが操作されたと判別した（ステップＳ５２）ときに、メモリ１７に設定登録している録画時間から３０分を減算した新たな録画時間を算出して、この算出した録画時間をメモリ１７に登録中の録画時間に代えて更新登録する（ステップＳ５４）。
【００６２】
すなわち、この実施の形態においても、図３で説明したとほぼ同様の録画時間アップ設定サイクルＵＣおよび録画時間ダウン設定サイクルＤＣの２種の設定サイクルにより録画時間の設定を行えるようになっている。録画時間アップ設定サイクルＵＣは、ワンタッチレコーディング動作モードを設定したのちにカーソルアップキー１３ｂが操作された場合に、その操作される毎に設定録画時間に３０分を加算した新たな録画時間を順次算出して更新登録する。録画時間ダウン設定サイクルＤＣは、ワンタッチレコーディング動作モードを設定したのちにカーソルダウンキー１３ｃが操作された場合に、その操作される毎に設定録画時間から３０分を減算した新たな録画時間を順次算出して更新登録する。
【００６３】
但し、タイマー回路部１８は、第１および第２の各実施の形態と同様に、上述の設定録画時間の更新の有無に拘わらずリセットされることがなく、録画時間を初期設定した時点で開始した計時動作をそのまま継続する。したがって、制御部９は、メモリ１７に新たに更新登録された録画時間からタイマー回路部１８の計時時間を減算して残り録画時間を常に算出しながら、その残り録画時間がゼロになった否か、つまり設定録画時間が経過したか否かを判別して（ステップＳ５０）、設定録画時間が経過したと判別した時点で、録画動作を終了させる（ステップＳ５５）。
【００６４】
なお、制御部９は、第１および第２の各実施の形態と同様に、上述の録画時間の初期設定登録時および更新登録時の何れの場合においても、録画時間をメモリ１７に一時記憶すると同時に、その記憶する録画時間を図１に示す表示制御回路２３を介してディスプレイ４にその都度表示させるように制御する。これにより、使用者は、自身の操作により設定した録画時間をディスプレイ４で視認することができるから、所望の録画時間を確実に設定できる。
【００６５】
一方、使用者によるＲＥＣキー１３ａの操作によって通常の録画動作モードを設定して通常の録画動作を開始したのちに、ＲＥＣキー１３ａおよびストップキーの双方が操作されなかった場合には、通常の録画動作を継続して、制御部９がストップキーを押圧操作したと判別した（ステップＳ４４）時点で録画動作を終了させる（ステップＳ５５）。
【００６６】
したがって、この実施の形態のタイマー機能付き録画シテスムにおいても、第１および第２の実施の形態とほぼ同様の２種の録画時間設定サイクルＵＣ，ＤＣを有していることから、従来の録画時間の設定と比較して、所望の録画時間を格段に容易な操作で迅速に設定することができ、コスト高を招くことがなく、さらに、第２の実施の形態と同様に、録画時間の設定操作をリモコン送信機１４を用いて行えるようにしたので、使用者は、ＤＶＤレコーダの装置本体に設けられたキー入力部１２を操作する場合に比較して、一層容易に録画時間の設定操作を行える効果がある。
【００６７】
上述のような効果に加えて、この実施の形態では、ワンタッチレコーディング機能のモードでの録画時間アップ設定サイクルＵＣまたは録画時間ダウン設定サイクルＤＣに基づく録画時間の設定を、カーソルアップキー１３ｂまたはカーソルダウンキー１３ｃの何れか一方を操作するだけで行えるから、第２の実施の形態のように録画時間ダウン設定サイクルＤＣに基づく録画時間の設定をＲＥＣキー１３ａとカーソルダウンキー１３ｃとの双方の操作で行う場合に比較して、操作が一層容易になる。さらに、この実施の形態では、録画時間アップ設定サイクルＵＣおよび録画時間ダウン設定サイクルＤＣと、これに基づく録画時間の設定操作に兼用するカーソルアップキー１３ｂおよびカーソルダウンキー１３ｃとの双方に、「アップ」および「ダウン」という共通する概念が存在することにより、使用者に操作すべきキー１３ｂ，１３ｃを間違いなく覚えさせることができる利点がある。
【産業上の利用可能性】
【００６８】
本発明は、例えばＤＶＤレコーダまたはＶＣＲとテレビジョン受像機とを相互に接続したタイマー機能付き録画システムに適用することにより、既存の構成を利用した安価な構成としながらも、ワンタッチレコーディンク機能における録画時間の設定を容易、且つ迅速に行える機能を付与することができる。
【図面の簡単な説明】
【００６９】
【図１】本発明の第１の実施の形態に係るタイマー機能付き録画システムにおける録画制御系を示すブロック構成図である。
【図２】同上のタイマー機能付き録画システムにおけるワンタッチレコーディング動作モードでの録画時間の設定の制御処理を示すフローチャートである。
【図３】図２の制御処理による録画時間の設定の推移を判りやすく示した説明図である。
【図４】本発明の第２の実施の形態に係るタイマー機能付き録画システムにおけるワンタッチレコーディング動作モードでの録画時間の設定の制御処理を示すフローチャートである。
【図５】本発明の第３の実施の形態に係るタイマー機能付き録画システムにおけるワンタッチレコーディング動作モードでの録画時間の設定の制御処理を示すフローチャートである。
【図６】従来のタイマー機能付き録画システムにおけるワンタッチレコーディング動作モードでの録画時間の設定の推移を示した説明図である。
【符号の説明】
【００７０】
９  制御部
１２  キー入力部
１２ａ  キー入力部のレコーディングキー
１２ｂ  キー入力部のカーソルアップキー
１２ｃ  キー入力部のカーソルダウンキー
１３  リモコン送信機
１３ａ  リモコン送信機のレコーディングキー
１３ｂ  リモコン送信機のカーソルアップキー
１４ｃ  リモコン送信機のカーソルダウンキー
１７  メモリ
１８  タイマー回路部
【図１】
2006041851.tif 000003
【図２】
2006041851.tif 000004
【図３】
2006041851.tif 000005
【図４】
2006041851.tif 000006
【図５】
2006041851.tif 000007
【図６】
2006041851.tif 000008